(57)【特許請求の範囲】
【請求項１】
水平に配置され作業面を形成する略直方体形状の天板と、
前記天板の左側面側に配置され、前記天板の左側端部が載置される左側天板受けが上下方向中間部に設けられる左側面パネル体と、
前記天板の右側面側に配置され、前記天板の右側端部が載置される右側天板受けが上下方向中間部に設けられる右側面パネル体と、
前記天板の背面側に配置される背面パネル体と、
前記左側面パネル体と前記背面パネル体とを着脱可能に磁着する第１の磁着手段と、
前記右側面パネル体と前記背面パネル体とを着脱可能に磁着する第２の磁着手段と、
を有し、
前記左側面パネル体、前記右側面パネル体、及び前記背面パネル体のそれぞれが、垂直方向に配置され角柱状の部材よりなる複数の柱部材と水平方向に配置され当該柱部材を相互に連結する角柱状の部材よりなる横架材とを備えており、
前記第１の磁着手段が、前記背面パネル体側に配置される前記左側面パネル体の柱部材と、前記左側面パネル体側に配置される前記背面パネル体の柱部材とに取り付けられており、
前記第２の磁着手段が、前記背面パネル体側に配置される前記右側面パネル体の柱部材と、前記右側面パネル体側に配置される前記背面パネル体の柱部材とに取り付けられており、
前記左側面パネル体の横架材又は前記右側面パネル体の横架材に載置される第１連結部と、前記背面パネル体の横架材に載置される第２連結部とを備える背面側コーナー部材と、
前記第１連結部と前記第１連結部が載置される横架材とを着脱可能に磁着する第４の磁着手段と、
前記第２連結部と前記背面パネル体の横架材とを着脱可能に磁着する第５の磁着手段と、
を有することを特徴とする間仕切り付組立式デスク。
【請求項２】
前記第１の磁着手段、前記第２の磁着手段、前記第４の磁着手段、及び、前記第５の磁着手段が、マグネットシートと当該マグネットシートに磁着する鉄板との組合せからなることを特徴とする請求項１記載の間仕切り付組立式デスク。
【請求項３】
水平に配置され作業面を形成する略直方体形状の天板と、
前記天板の左側面側に配置され、前記天板の左側端部が載置される左側天板受けが上下方向中間部に設けられる左側面パネル体と、
前記天板の右側面側に配置され、前記天板の右側端部が載置される右側天板受けが上下方向中間部に設けられる右側面パネル体と、
前記天板の背面側に配置される背面パネル体と、
前記左側面パネル体と前記背面パネル体とを着脱可能に磁着する第１の磁着手段と、
前記右側面パネル体と前記背面パネル体とを着脱可能に磁着する第２の磁着手段と、
前記天板の正面側に配置される門形の正面パネル体と、
前記左側面パネル体と前記正面パネル体とを着脱可能に磁着する第６の磁着手段と、
前記右側面パネル体と前記正面パネル体とを着脱可能に磁着する第７の磁着手段と、
前記左側面パネル体、前記右側面パネル体、前記背面パネル体、及び前記正面パネル体を相互に連結することにより形成される自立ユニットの上方開口部にはめ込まれる枠部を備え、当該上方開口部を覆う天井パネル体と、
前記天井パネル体の枠部と前記自立ユニットとを着脱可能に磁着する第８の磁着手段と、
を有することを特徴とする間仕切り付組立式デスク。
【請求項４】
前記第１の磁着手段、前記第２の磁着手段、及び、前記第６ないし第８の磁着手段が、マグネットシートと当該マグネットシートに磁着する鉄板との組合せからなることを特徴とする請求項３記載の間仕切り付組立式デスク。
【発明の詳細な説明】
【技術分野】
【０００１】
本発明は、室内で用いられて好適な間仕切り付きの組立式デスクに関する。
【背景技術】
【０００２】
子供の自宅学習に関して、リビングやダイニング（以下「リビング等」という。）のような家族の目線が注がれる空間内で学習を行うと、高い学習効果が得られるとの知見がある。もっとも、リビング等内にあるテーブルは、食事や団らんなどの際に家族で共用されるものであるため、学習用のデスクとして占有することができず、都度、片付けの手間が生じてしまう。リビング学習に利用可能なテーブルとして、特許文献１に開示される技術が知られている。
【先行技術文献】
【特許文献】
【０００３】
【特許文献１】特開２０１９−１８７９７１号公報
【発明の概要】
【発明が解決しようとする課題】
【０００４】
リビング等は家族が集う共用スペースであり、学習を阻害する過度な外部刺激を受けやすい環境にあるため、特許文献１に開示されるような間仕切りの無いオープンな形態のテーブルでは、学習に集中できないことがある。
【０００５】
リビング等にはソファなどの様々な家具が設置され、また、間口が狭い場合があることから、パーツ単位で搬入することができ、かつ、室内において簡易に組立てられる間仕切り付組立式デスクがあると便宜である。
【０００６】
本発明は、上記課題に鑑みてなされたものであり、リビング等の室内に搬入して簡易に組み立てることができ、学習などの各種作業に集中し易い間仕切り付組立式デスクを提供することを目的とする。
【課題を解決するための手段】
【０００７】
本発明の間仕切り付組立式デスクは、
水平に配置され作業面を形成する略直方体形状の天板と、
前記天板の左側面側に配置され、前記天板の左側端部が載置される左側天板受けが上下方向中間部に設けられる左側面パネル体と、
前記天板の右側面側に配置され、前記天板の右側端部が載置される右側天板受けが上下方向中間部に設けられる右側面パネル体と、
前記天板の背面側に配置される背面パネル体と、
前記左側面パネル体と前記背面パネル体とを着脱可能に磁着する第１の磁着手段と、
前記右側面パネル体と前記背面パネル体とを着脱可能に磁着する第２の磁着手段と、
を有することを特徴とする。磁着手段には、磁石と鉄板との組合せに限られず、磁石同士の組合せや、磁石と当該磁石の磁力により引き付けられる磁性を帯びる各種材料との組合せが含まれる。
【０００８】
前述の間仕切り付組立式デスクは、好ましくは、前記左側天板受け及び前記右側天板受けのそれぞれには突起部が立設されており、前記天板の底面側の両側端部には前記突起部のそれぞれが挿入される穴が穿設されており、前記天板と前記背面パネル体とを着脱可能に磁着する第３の磁着手段、を有する。
【０００９】
本発明の間仕切り付組立式デスクは、更に好ましくは、前記左側面パネル体、前記右側面パネル体、及び前記背面パネル体のそれぞれが、垂直方向に配置され角柱状の部材よりなる複数の柱部材と水平方向に配置され当該柱部材を相互に連結する角柱状の部材よりなる横架材とを備えており、前記第１の磁着手段が、前記背面パネル体側に配置される前記左側面パネル体の柱部材と、前記左側面パネル体側に配置される前記背面パネル体の柱部材とに取り付けられており、前記第２の磁着手段が、前記背面パネル体側に配置される前記右側面パネル体の柱部材と、前記右側面パネル体側に配置される前記背面パネル体の柱部材とに取り付けられている。かかる形態の間仕切り付組立式デスクにおいては、前記左側面パネル体の横架材又は前記右側面パネル体の横架材に載置される第１連結部と、前記背面パネル体の横架材に載置される第２連結部とを備える背面側コーナー部材と、前記第１連結部と前記第１連結部が載置される横架材とを着脱可能に磁着する第４の磁着手段と、前記第２連結部と前記背面パネル体の横架材とを着脱可能に磁着する第５の磁着手段と、を有するようにしても良い。
【００１０】
前述の間仕切り付組立式デスクは、前記天板の正面側に配置される門形の正面パネル体と、前記左側面パネル体と前記正面パネル体とを着脱可能に磁着する第６の磁着手段と、前記右側面パネル体と前記正面パネル体とを着脱可能に磁着する第７の磁着手段と、を有するようにしても良い。かかる形態の間仕切り付組立式デスクにおいては、前記左側面パネル体、前記右側面パネル体、前記背面パネル体、及び前記正面パネル体を相互に連結することにより形成される自立ユニットの上方開口部にはめ込まれる枠部を備え、当該上方開口部を覆う天井パネル体と、前記天井パネル体の枠部と前記自立ユニットとを着脱可能に磁着する第８の磁着手段と、を有するようにしても良い。
【００１１】
前述した第１ないし第８の磁着手段は、マグネットシートと当該マグネットシートに磁着する鉄板との組合せからなることが望ましい。
【発明の効果】
【００１２】
本発明によれば、リビング等の室内に搬入して簡易に組み立てることができ、学習などの各種作業に集中し易い間仕切り付組立式デスクを提供することができる。
【図面の簡単な説明】
【００１３】
【図１】本発明の第１の実施の形態である間仕切り付組立式デスクの組立状態説明図である。
【図２】図１に示す間仕切り付組立式デスクの組立て後の状態を示す斜視図である。
【図３】図１の左側面パネル体を示す図である。
【図４】図１の右側面パネル体を示す図である。
【図５】図１の背面パネル体を示す図である。
【図６】図１の天板を底面側から示す斜視図である。
【図７】図１の第１の背面側コーナー部材を底面側から示す斜視図である。
【図８】本発明の第２の実施の形態である間仕切り付組立式デスクの組立状態説明図である。
【図９】図８に示す間仕切り付組立式デスクの組立て後の状態を示す斜視図である。
【図１０】図８の左側面パネル体を示す図である。
【図１１】図８の右側面パネル体を示す図である。
【図１２】図８の正面パネル体を示す図である。
【図１３】図８の天井パネル体を示す図である。
【発明を実施するための形態】
【００１４】
以下、適宜図面を参照しつつ本発明を具体的に説明するが、本発明は図面に示す実施の形態に限定されるものではなく、本発明の要旨を変更しない限りにおいて適宜変更可能である。
【００１５】
図１は、本発明の第１の実施の形態である間仕切り付組立式デスク１の組立状態説明図であり、図２は、図１に示す間仕切り付組立式デスク１の組立て後の状態を示す斜視図である。本発明に係る間仕切り付組立式デスクは、リビングやダイニングといった屋内の部屋に設置して使用することを想定しており、パネル体などの複数のパーツに分割された状態で（図１参照）、室内の所望の設置場所まで運搬搬入され、組み立て後の状態（図２参照）において、椅子（図示省略）に腰掛けて、又は、スタンディングデスクとして利用されるものである。次に、間仕切り付組立式デスク１の構成を説明する。
【００１６】
間仕切り付組立式デスク１は、Ａ）水平に配置され作業面２０１を形成する略直方体形状の天板２と、Ｂ）天板２の左側面側に配置され、天板２の左側端部が載置される左側天板受け６が上下方向中間部に設けられる左側面パネル体３と、Ｃ）天板２の右側面側に配置され、天板２の右側端部が載置される右側天板受け７（図４参照）が上下方向中間部に設けられる右側面パネル体４と、Ｄ）天板２の背面側に配置される背面パネル体５と、Ｅ）左側面パネル体３と背面パネル体５とを着脱可能に磁着する第１の磁着手段１５と、Ｆ）右側面パネル体４と背面パネル体５とを着脱可能に磁着する第２の磁着手段１６と、を有する。第１ないし第２の磁着手段１５、１６は、いずれも、マグネットシートと当該マグネットシートに磁着する、即ち、マグネットシートの磁力により引き付けられる鉄板との組合せからなる。
【００１７】
天板２は略直方体形状の木製部材であり、木製の左側面パネル体３が天板２の左側面と略平行に配置され、木製の右側面パネル体４が天板２の右側面と略平行に配置され、同じく木製の背面パネル体５が天板２の背面と略平行に配置される。なお、後述する正面パネル体１１及び天井パネル体１２を含め、本発明に係る間仕切り付組立式デスクを構成する各パネル体は、木のぬくもりや香りを感じることのできる木製が好ましいが、これに限られず、透明アクリル板や樹脂製シート、段ボール等を用いて形成するようにしても良い。
【００１８】
左側天板受け６は、左側面パネル体３の内面（天板２が配置される側の面）の上下方向（高さ方向）中間部（図示する場合には、上下方向の中心よりやや下側の位置）に設けられている。同様に、右側天板受け７は、右側面パネル体４の内面（天板２が配置される側の面）の上下方向（高さ方向）中間部に設けられている。天板２を水平に配置すべく、各天板受け６、７は、同一の高さ位置に同一形状の角材を固定することで、天板２の載置面が同一の高さとなるように形成されている。なお、各天板受け６、７が設けられる上述の上下方向中間部には、各側面パネル体３、４の上下方向中心位置から上方向又は下方向に一定程度離隔した位置を含むものであるが、好ましくは、利用者の体格に応じ、作業面２０１が座って作業する、又は、立って作業するのに適する高さとなる位置に設定される。
【００１９】
上記構成を有する間仕切り付組立式デスク１によれば、工具を要することなく、各パーツ（部品）を着脱可能に磁着する、即ち、磁石の磁力により連結して相互に着脱可能に取り付けるだけで組み立てることができる。すなわち、天板２を配置したい位置の左側に左側面パネル体３を直立させた後、背面パネル体５の左辺部を略直角方向から突き当てて第１の磁着手段を介して相互に連結することにより、背面パネル体５及び左側面パネル体３を自立させる。次いで、右側面パネル体４を、背面パネル体５の右辺部に略直角方向から突き当てて第２の磁着手段を介して相互に連結することにより、三方がパネル体で囲われた空間を形成する。最後に、この空間内に天板２を入れて、左側天板受け６及び右側天板受け７上に載置することにより、組み立て作業が完了する。間仕切り付組立式デスク１は、構成部品の点数が少なく、各部品の配置（取り付け位置）が各部品の形状や磁着手段の取付け位置から直感的に理解できることからも組み立てが容易である。なお、上記組み立て手順は一例に過ぎない。
【００２０】
組立て後の間仕切り付組立式デスク１においては、各側面パネル体３、４が作業面２０１より突出して間仕切りとしての機能を果たすため、学習などの各種作業に集中し易いプライベート空間（個室）を提供することができる。従って、家族が集う共用スペース内においても過度な外部刺激を受けることなく、学習等の各種作業に集中することができ、学習効果や作業性の向上を図ることができる。正面側に開口する出入り口部から内部の様子を伺うことができるため、子供のリビング学習用の机として用いる場合でも、家族の目線が注がれる空間内で学習することができ、高い学習効果が期待される。各部品は磁石（マグネットシート）の磁力により着脱可能に連結されているため、解体し易く、運搬移動が簡便で、かつ、再組立てが容易である。間仕切り付組立式デスク１は、後述する天井パネル体を含まない形態であるため、開放的であり、室内の光を取り込み易い。なお、図示する場合には、各パネル体３、４、５は同一の高さ寸法に設定されているが、居室の壁面に接して設置する場合には背面パネル体は高さが低いものであっても良い。また、後述する天井パネル体１２を有する場合には、好ましくは、各パネル体３、４、５は、起立したときに頭が天井パネル体２にぶつからない高さ寸法に設定される。
【００２１】
次に、各パネル体３、４、５の構成を説明する。なお、説明の便宜上、組立て後の状態において、外面側に配置される面を正面とする。また、後記骨組み部及び壁部を形成するための固定手段は任意であり、例えば、釘や接着剤を用いても良い。また、骨組み部を構成する後記柱部材は、木製に限られず、プラスチック等の樹脂製、鉄やアルミニウム等の金属製でも良く、その形態は専ら横断面が四角形状の角材により説明しているが、パネル体を支える柱としての機能を有する形状であればこれに限られない。
【００２２】
図３は、図１の左側面パネル体３を示す図であり、特に、（Ａ）は左側面図、（Ｂ）は正面図、（Ｃ）は右側面図、（Ｄ）は背面図である。左側面パネル体３は、垂直方向に配置され角柱状の部材（角材）よりなる左右一対の柱部材３０１、３０２と、水平方向に配置され柱部材３０１、３０２を相互に連結する同じく角材よりなる上下一対の横架材３０３、３０４とを備える骨組み部、及び、当該骨組み部の一面側（外面となる側）に略同一寸法の複数の板材３０５を連続的に固定してなり壁面を形成する壁部により構成される。本実施の形態においては、水平方向に配置され角材よりなる左側天板受け６が、柱部材３０１、３０２に連結固定されることにより骨組み部の一部を構成している。
【００２３】
図４は、図１の右側面パネル体４を示す図であり、特に、（Ａ）は左側面図、（Ｂ）は正面図、（Ｃ）は右側面図、（Ｄ）は背面図である。右側面パネル体４は、垂直方向に配置され角材よりなる左右一対の柱部材４０１、４０２と、水平方向に配置され柱部材４０１、４０２を相互に連結する同じく角材よりなる上下一対の横架材４０３、４０４とを備える骨組み部、及び、当該骨組み部の一面側（外面となる側）に略同一寸法の複数の板材４０５を連続的に固定してなり壁面を形成する壁部により構成される。本実施の形態においては、水平方向に配置され角材よりなる右側天板受け７が、柱部材４０３、４０４に連結固定されることにより骨組み部の一部を構成している。なお、右側面パネル体４は、左側面パネル体３と左右対称の形状である。
【００２４】
図５は、図１の背面パネル体５を示す図であり、特に、（Ａ）は左側面図、（Ｂ）は正面図、（Ｃ）は右側面図、（Ｄ）は背面図である。背面パネル体５は、垂直方向に配置され角材よりなる左右一対の柱部材５０１、５０２と、水平方向に配置され柱部材５０１、５０２を相互に連結する同じく角材よりなる上下一対の横架材５０３、５０４とを備える骨組み部、及び、当該骨組み部の一面側に略同一寸法の複数の板材５０５を連続的に固定してなり壁面を形成する壁部と、により構成される。なお、後述する鉄板１９２を取り付けるための角材よりなる横架材が、上下方向略中間部に配置され、柱部材５０１、５０２に連結固定されることにより骨組み部の一部を構成している。
【００２５】
上述の構成を有する各パネル体３、４、５に対し、第１の磁着手段１５が、背面パネル体５側に配置される左側面パネル体３の柱部材３０１と、左側面パネル体３側に配置される背面パネル体５の柱部材５０１とに取り付けられており、第２の磁着手段１６が、背面パネル体５側に配置される右側面パネル体４の柱部材４０１と、右側面パネル体４側に配置される背面パネル体５の柱部材５０２とに取り付けられている。かかる構成を有することにより、角柱状の部材よりなる柱部材の連結面同士を当接させて磁着することができ、また、組立時の位置合わせが容易であるため、組立て易さが向上する。加えて、第１及び第２の磁着手段１５、１６の取付面（連結面）を広く確保することができ、マグネットシートの磁力でも使用に耐え得る連結強度を確保できる。
【００２６】
すなわち、第１の磁着手段１５はマグネットシート１５１とマグネットシート１５１に磁着する鉄板１５２との組合せからなるところ、左側面パネル体３の奥側（背面側）の柱部材３０１のうち組立て時に背面パネル体５の柱部材５０１に組み付けられる側の面（連結面）にはマグネットシート１５１が取り付けられており、背面パネル体５の背面側の柱部材５０１のうち組立て時に左側面パネル体３の柱部材３０１に組み付けられる側の面（連結面）には鉄板１５２が取り付けられている。かかる構成とすることにより、マグネットシート１５１及び鉄板１５２の取付面（連結面）を広く確保することができ、左側面パネル体３と背面パネル体５とを強固に連結できる。同様に、第２の磁着手段１６を構成するマグネットシート１６１が右側面パネル体４の柱部材４０１に取り付けられ、鉄板１６２が背面パネル体５の柱部材５０２とに取り付けられているが、その構成及び効果は、前述した第１の磁着手段の場合と同様であるので、説明を省略する。
【００２７】
なお、相互に磁着される部材のうち、マグネットシート又は鉄板をいずれの部材に取り付けるかは任意であり、例えば、図示する場合とは逆に、左側面パネル体３の柱部材３０１に鉄板を取り付け、背面パネル体５の柱部材５０１にマグネットシートを取り付けるようにしても良く、マグネットシートと鉄板とを互い違いに取り付けるようにしても良い。また、磁着手段（第２ないし第８等の後述する磁着手段を含む）としては、磁石同士の組合せでも良く、磁石はマグネットシートに限らず、また、鉄板に代えて各種磁性体を用いても良いが、マグネットシートと鉄板との組合せによれば、反発しあうことが無いため位置合わせが容易である。また、マグネットシート及び鉄板はいずれも薄片であるため、連結される部材同士の隙間を狭くすることができ、まとまりの良いデスクを構築することができる。なお、第２の磁着手段及び後述する第３ないし第８の磁着手段についても、マグネットシートと当該マグネットシートに磁着する鉄板との組合せからなるところ、第１の磁着手段と同様、磁着される部材のうちのどちらの部材にマグネットシートを取り付け、どちらの部材に鉄板を取り付けるかは任意であり、また、鉄板と互い違いに取り付けても良いことは、前述した場合と同様であり、以下この点についての説明を省略する。
【００２８】
本発明に係る間仕切り付組立式デスク１は、強風に晒されない室内に設置して使用されることを想定しており、上述の構成による場合であっても室内用のデスクとしての使用に耐え得る剛性ないし強度を確保することができるが、以下の構成を有することにより、間仕切り付組立式デスクの剛性ないし強度を向上させることができる。
【００２９】
すなわち、左側天板受け６及び右側天板受け７のそれぞれには突起部６０１、７０１が上方に向けて立設されており、天板２の底面側の両側端部には突起部６０１、７０１のそれぞれが挿入される穴２０２、２０３が穿設されている。
【００３０】
図６は、図１の天板２を底面側から示す斜視図である。図６に示すように、穴２０２、２０３は、天板２の底面側の両側端部に２箇所ずつ設けられており、これらの穴２０２、２０３に突起部６０１、７０１が挿入されることにより、左側面パネル体３及び右側面パネル体４同士を、天板２を介して連結することができ、側面パネル体の位置ズレを防止し、間仕切り付組立式デスク１の剛性ないし強度を向上させることができる。なお、突起部６０１、７０１は、例えば、ダボを用いて形成することができる。なお、穴や突起部の形状及び個数は任意である。
【００３１】
さらに、間仕切り付組立式デスク１は、天板２と背面パネル体５とを着脱可能に磁着する第３の磁着手段１７を有する。第３の磁着手段１７は、マグネットシートと当該マグネットシートに磁着する鉄板との組合せからなり、図示する場合には、天板２の背面（背面パネル体５に対向して配置される面）にはマグネットシート１７１が取り付けられており、背面パネル体５の所定の高さ位置（天板受け６、７に載置された天板２の背面と対向する位置）には鉄板１７２が取り付けられている。上述のとおり、天板２は突起部６０１、７０１に挿入されており前後方向への移動が規制されているため、かかる天板２と背面パネル体５とを第３の磁着手段１７を介して連結することにより、背面パネル体５のバタつき（位置ズレ）を防止し、間仕切り付組立式デスク１の剛性ないし強度を向上させることができる。
【００３２】
前述のとおり、左側面パネル体３、右側面パネル体４、及び背面パネル体５のそれぞれが、一対の柱部材を相互に連結する角柱状の部材よりなる横架材３０４、４０４、５０４を備えている場合には、背面側コーナー部材８、９を取り付けることにより、間仕切り付組立式デスク１の強度ないし剛性の向上を図るようにしても良い。第１の背面側コーナー部材８は、左側面パネル体３の横架材３０４に載置される第１連結部８０１と、背面パネル体５の横架材５０４に載置される第２連結部８０２とを備える。さらに、第１連結部８０１と第１連結部８０１が載置される横架材３０４とを着脱可能に磁着する第４の磁着手段と、第２連結部８０２と背面パネル体５の横架材５０４とを着脱可能に磁着する第５の磁着手段と、を有する。なお、第１連結部８０１と第２連結部８０２との間には、載置したとき柱部材３０１、３０２が入り込む略直角の切欠き部が形成されている。
【００３３】
図７は、図１の第１の背面側コーナー部材８を底面側から示す斜視図である。第４の磁着手段は、第１連結部８０１に取り付けられるマグネットシート１８１と、左側面パネル体３の横架材３０４に取り付けられる鉄板１８２との組み合わせからなる。また、第５の磁着手段は、第２連結部８０２に取り付けられるマグネットシート１９１と、背面パネル体５の横架材５０４に取り付けられる鉄板１９２との組み合わせからなる。前述の第１及び第２の磁着手段１５、１６は取付面（連結面）が垂直方向に設けられる一方、第３及び第４の磁着手段によれば水平方向に取付面（連結面）が形成されることから、背面側コーナー部材８を取り付けることにより、磁着手段１５、１６を引き離す方向の外力に対しても間仕切り付組立式デスク１の剛性ないし強度を向上させることができる。第２の背面側コーナー部材９は、第１の背面側コーナー部材８と同様の構成を有するので、説明を省略する。また、第２の背面側コーナー部材９と右側面パネル体４及び背面パネル体５とを磁着する磁着手段は、前述の第４及び第５の磁着手段と同様の構成を有するので、説明を省略する。なお、コーナー部材が載置される各横架材は、好ましくは、図示するように載置面が同一の高さとなるように設けられる。
【００３４】
図８は、本発明の第２の実施の形態である間仕切り付組立式デスク１０の組立状態説明図であり、図９は、図８に示す間仕切り付組立式デスク１０の組立て後の状態を示す斜視図である。かかる実施の形態は、第１の実施の形態に係る間仕切り付組立式デスク１に、正面パネル体１１、天井パネル体１２、及び正面側コーナー部材１３、１４等を付加してなるものであり、間仕切り付組立式デスク１と同一の部品又は部位については同一の符号を付して説明を省略する。
【００３５】
間仕切り付組立式デスク１０は、天板２の正面側において、背面パネル体５と略平行に対向して配置され、左側面パネル体３’及び右側面パネル体４’のそれぞれと略直角に当接する門形の正面パネル体１１と、左側面パネル体３’と正面パネル体１１とを着脱可能に磁着する第６の磁着手段と、右側面パネル体４’と正面パネル体１１とを着脱可能に磁着する第７の磁着手段と、を有する。かかる構成を有することにより、正面パネル１１を介して左側面パネル体３’及び右側面パネル体４’の前端側が連結されるので、間仕切り付組立式デスク１０全体の剛性ないし強度の向上が図られる。正面パネル体１１は門形に開口しており、この開口部から出入り可能である。
【００３６】
図１０は、図８の左側面パネル体３’を示す図であり、特に、（Ａ）は左側面図、（Ｂ）は正面図、（Ｃ）は右側面図、（Ｄ）は背面図である。左側面パネル体３’は、柱部材３０２にマグネットシート２２１が取り付けられている他は、左側面パネル体３と同一の構成であるので、同一の符号を付して説明を省略する。図１１は、図８の右側面パネル体４’を示す図であり、特に、（Ａ）は左側面図、（Ｂ）は正面図、（Ｃ）は右側面図、（Ｄ）は背面図である。右側面パネル体４’は、柱部材４０１にマグネットシート２３１が取り付けられている他は、右側面パネル体４と同一の構成であるので、同一の符号を付して説明を省略する。
【００３７】
図１２は、図８の正面パネル体１１を示す図であり、特に、（Ａ）は左側面図、（Ｂ）は正面図、（Ｃ）は右側面図、（Ｄ）は背面図である。正面パネル体１１は、左パネル部と、右パネル部と、これらのパネル部を連結することにより門形の開口部を形成する梁材１１９とにより構成される。左パネル部は、角材よりなる柱部材１１１、１１２と、柱部材１１１、１１２を相互に連結する同じく角材よりなる上下一対の横架材１１３、１１４を備える骨組み部と、当該骨組み部に板材を固定してなり壁面を形成する壁部と、により構成される。同様に、右パネル部は、角材よりなる柱部材１１５、１１６と、柱部材１１５、１１６を相互に連結する同じく角材よりなる上下一対の横架材１１７、１１８を備える骨組み部と、当該骨組み部に板材を固定してなり壁面を形成する壁部と、により構成される。
【００３８】
前述のとおり、第６の磁着手段は、マグネットシートと当該マグネットシートに磁着する鉄板との組合せからなるところ、正面パネル体１１側に配置される左側面パネル体３’の柱部材３０２にはマグネットシート２１１が取り付けられ、左側面パネル体３’側に配置される正面パネル体１１の柱部材１１１には鉄板２１２が取り付けられている。同様に、第７の磁着手段は、マグネットシートと当該マグネットシートに磁着する鉄板との組合せからなるところ、正面パネル体１１側に配置される右側面パネル体４’の柱部材４０２にはマグネットシート２２１が取り付けられ、右側面パネル体４’側に配置される正面パネル体１１の柱部材１１５には鉄板２２２が取り付けられている。かかる構成を有することにより、第６及び第７の磁着手段の取付面（連結面）を広く確保することができ、側面パネル体３’、４’と正面パネル体１１とを強固に連結できる。角柱状の部材よりなる柱部材の連結面同士を当接すれば連結することができ、また、組立時の位置合わせが容易であり、組み立てやすくなる。
【００３９】
間仕切り付組立式デスク１０には、天板２の上面側に配置され、屋根としての機能を兼ねる天井パネル体１２を設けることができる。すなわち、間仕切り付組立式デスク１は、左側面パネル体３’、右側面パネル体４’、背面パネル体５、及び正面パネル体１１を相互に連結することにより形成される自立ユニットの上方開口部にはめ込まれる枠部１２１を備え、当該上方開口部を覆う天井パネル体１２と、天井パネル体１２の枠部１２１と自立ユニットとを着脱可能に磁着する第８の磁着手段と、を有する。枠部１２１は、自立ユニットの上方開口部に対応して、角材をロ字状に配置固定してなり、枠部１２１のうち左側面パネル体３’及び右側面パネル体４’に対向する面にはマグネットシート２３１が取り付けられ、左側面パネル体３’及び右側面パネル体４’のうちマグネットシート２３１に対向して配置される箇所（図示する場合には梁部材３０３、４０３の内面）には鉄板２３２が取り付けられることにより、左側面パネル体３’と右側面パネル体４’とが天井パネル体１２を介して連結するようになっている。かかる構成を有することにより、間仕切り付組立式デスク１０全体の剛性ないし強度の向上が図られる。
【００４０】
天井パネル体１２は、傾斜の無い平面上の屋根（陸屋根）であるが、切妻型、片流れ型、方形型、かまぼこ型等の任意の形状を適宜設計変更のうえ選択することができる。天井パネル体を設けることで、子供にとっては、自分の部屋が与えられたかのような気分を演出できる。
【００４１】
間仕切り付組立式デスク１０は、第１及び第２の正面側コーナー部材１３、１４を、正面パネル体１１の横架材１１４、１１８及び各側面パネル体３、４の横架材３０４、４０４のそれぞれに磁石の磁力により着脱可能に連結する（磁着する）ための、マグネットシートと当該マグネットシートに磁着する鉄板との組合せよりなる磁着手段を有する。なお、正面側コーナー部材１３、１４及び当該磁着手段の構成及び効果については、前述した背面側コーナー部材８及び第４及び第５の磁着手段と同様の構成及び効果であるので、説明を省略する。
【００４２】
各パネル体を構成する各部の寸法はその用途や設置箇所等に応じて任意に設定されるが、例えば、組立てたときに直角の角部を形成するように設定すると見栄えが良い（図２、図９参照）。また、横幅及び間口を広くして２人用の座席を確保するようにしても良い。
【００４３】
本発明を構成する各パネル体、天板やコーナー部材は着脱可能に連結されているので、容易に解体することができる。リビング等においては、模様替えにより家具の配置が変更されることがあるが、間仕切り付組立式デスク１、１０は解体が容易であるため、新たな場所に移動して、組立て直すことも容易に行える。その他、パーツ単位での交換が可能であるため、例えば、天板のサイズ（作業スペース）を拡大したり、天板２の高さ（天板受け６、７の高さ）を変えたり、棚板を増設したりといった、用途や仕様の変更に対しても、一部のパーツを交換することにより実現することができる。
【００４４】
本発明は、上記実施の形態ないし実施例に限定されず、その発明の趣旨を逸脱しない範囲で種々変形実施が可能である。例えば、左側天板受け及び右側天板受けからなる一対の天板受けを、例えば、着座して作業するのに適する高さと、立って作業するのに適する高さの二箇所に設けておくことにより、いわゆるスタンディングデスクに切り替えて利用することもできる。また、上記実施の形態ないし実施例においては、各パネル体で区切られた空間内には天板２のみが設置されているが、本やペン立て等を載せるための棚板（図示省略）を設けるようにしても良い。棚板の構成は、天板２と同様であり、背面パネル体の内面や側面パネル体の内面に、天板受けと同様の構成の棚板受けを突設し、当該棚板受けに棚板を載置することにより設けられる。本発明に係る間仕切り付組立式デスクには、電線や各種ケーブルを通すため、壁部に孔を設けたり、図示するように地面と各パネル体の壁部との間に隙間が空くようにしても良く、演出又は装飾として煙突や開閉式窓を設けたり、塗色したりしても良い。
【００４５】
背面パネル体５などの各パネル体のそれぞれを、複数の分割されたパーツにより構成しても良い。例えば、大形である背面パネル体を、左右二つに分割し、それぞれの分割体の分割面に磁着手段を設けておくことにより、運搬移動し易く、かつ、設置現場において、相互に磁着して一体として背面パネル体を構成できるようにしても良い。各パネル体の壁部は、一枚の合板パネルにより形成しても良く、一定の間隔（隙間）を設けて固定される複数の板材により形成するようにしても良い。
【００４６】
間仕切り付組立式デスクの剛性ないし強度の向上を図るための手段としては、上述した各コーナー部材に代えて、ターンバックルを用いても良い。すなわち、各パネル体の横架材にフックを設け、当該フックにターンバックルを掛け留めて横架材同士を緊結するようにしても良い。かかる手段は、各パネル体が大形である場合に特に有効である。
【産業上の利用可能性】
【００４７】
本発明は、専ら、室内で用いられる組立式のデスクとして利用することができる。
【符号の説明】
【００４８】
１          間仕切り付組立式デスク（第１の実施の形態）
２          天板
３、３’    左側面パネル体
４、４’    右側面パネル体
５          背面パネル体
６          左側天板受け
７          右側天板受け
８、９      背面側コーナー部材
１０        間仕切り付組立式デスク（第２の実施の形態）
１１        正面パネル体
１２        天井パネル体
１３、１４  正面側コーナー部材
１５        第１の磁着手段
１５１      マグネットシート
１５２      鉄板  
１６        第２の磁着手段
１６１      マグネットシート
１６２      鉄板
１７        第３の磁着手段
１８        第４の磁着手段
１９        第５の磁着手段
２１１      マグネットシート（第６の磁着手段）    
２１２      鉄板            （第６の磁着手段）
２２１      マグネットシート（第７の磁着手段）    
２２２      鉄板            （第７の磁着手段）
２３１      マグネットシート（第８の磁着手段）    
２３２      鉄板            （第８の磁着手段）
【要約】
【課題】リビング等の室内に搬入して、簡易に組み立てることができ、学習などの各種作業に集中し易い間仕切り付きの組立式デスクを提供する。
【解決手段】間仕切り付組立式デスク１は、水平に配置され作業面２０１を形成する略直方体形状の天板２と、天板２の左側面側に配置され、天板２の左側端部が載置される左側天板受け６が上下方向中間部に設けられる左側面パネル体３と、天板２の右側面側に配置され、天板２の右側端部が載置される右側天板受け７（図４参照）が上下方向中間部に設けられる右側面パネル体４と、天板２の背面側に配置される背面パネル体５と、左側面パネル体３と背面パネル体５とを着脱可能に磁着する第１の磁着手段１５と、右側面パネル体４と背面パネル体５とを着脱可能に磁着する第２の磁着手段１６と、を有する。
【選択図】図１【図１】
0006815056.tif 000002
【図２】
0006815056.tif 000003
【図３】
0006815056.tif 000004
【図４】
0006815056.tif 000005
【図５】
0006815056.tif 000006
【図６】
0006815056.tif 000007
【図７】
0006815056.tif 000008
【図８】
0006815056.tif 000009
【図９】
0006815056.tif 000010
【図１０】
0006815056.tif 000011
【図１１】
0006815056.tif 000012
【図１２】
0006815056.tif 000013
【図１３】
0006815056.tif 000014